(57)【要約】【課題】人間または動物に可呼吸ガスを供給するシステム１２と共に使用する物質送出装置を提供することである。【解決手段】この装置は、人間または動物による吸気を検出するために供給された可呼吸ガス手段２２の圧力を測定する手段２２、および吸気の間、可呼吸ガスの供給圧力よりも高い圧力で人間または動物へ物質５２を送出する手段５４、５６、５８、６０を有する。物質５２を送出する方法もまた開示されている。【選択図】図１
2007000652.tif 000002
【特許請求の範囲】
【請求項１】
供給された可呼吸ガスの圧力を測定する手段と、
人間または動物による吸気を検出する手段と、
供給された可呼吸ガスの圧力よりも高い圧力での吸気の間、人間または動物に対する物質送出の手段とを有する、人間または動物に可呼吸ガスを供給するシステムと共に使用する物質送出装置。
【請求項２】
上記物質は医薬物質である請求項１に記載の装置。
【請求項３】
上記物質はガス状、霧状、通気懸濁状、噴射状、スプレー状、ガス混合状、または類似の形式である、請求項１または２に記載の装置。
【請求項４】
上記物質は人間または動物の呼吸システムに送出される、請求項１、２または３に記載の装置。
【請求項５】
上記物質は人間または動物の鼻気道に送出される請求項４に記載の装置。
【請求項６】
上記供給された可呼吸ガスは大気圧以上に加圧されている、請求項１から５のいずれか一つに記載の装置。
【請求項７】
可撓導管を通して人間または動物に装着されたマスクとの流体流通する加圧ガス流発生器を有し、および吸気検出手段は、導管を通して通過する可呼吸ガスの容量的流量を測定し、および可呼吸ガス流量を表示する第一入力信号を発生するように適応された空気流センサーを有する、請求項１から６のいずれか一つに記載の装置。
【請求項８】
更に、第一入力信号を同様に可呼吸ガス流量を表示する第二入力信号に増幅する第一増幅器を有する、請求項７に記載の装置。
【請求項９】
更に、第一信号を、
可呼吸ガスの加速度または減速度を表示し、それによってそれぞれ吸気または呼気を表示する第三入力信号に導く微分フィルタを有する、請求項７または８に記載の装置。
【請求項１０】
上記マスクは大気へのガス洗浄通気孔を有し、および空気流センサーは吸気が通気孔を通るガス流の方向の反転を感知することによって検出できるように通気孔の下流に配置される、請求項７、８または９に記載の装置。
【請求項１１】
吸気が通気孔を通る可呼吸ガス流の中断を感知することによって検出される、請求項１０に記載の装置。
【請求項１２】
更に、人間または動物に送出される物質の体積を測定する手段を有する、先行請求項のいずれか一つに記載の装置。
【請求項１３】
上記圧力測定手段は、導管に接続された圧力トランスデューサであり、前記トランスデューサは導管中の可呼吸ガスの圧力を表示する第四入力信号を発生するように適応されている、先行請求項のいずれか一つに記載の装置。
【請求項１４】
第四入力信号を同様に可呼吸ガス圧力を表示する第五入力信号に増幅する第二増幅器を有する、請求項１３に記載の装置。
【請求項１５】
上記物質送出手段は容積式ポンプである、先行請求項のいずれか一つに記載の装置。
【請求項１６】
上記容積式ポンプはダイヤフラムポンプである、請求項１５に記載の装置。
【請求項１７】
上記ダイヤフラムポンプは物質を貯蔵器からダイヤフラムポンプにのみ通過させるように適応された一方向弁を経由して物質貯蔵器と流体流通状態にある、請求項１６に記載の装置。
【請求項１８】
上記ダイヤフラムポンプは物質を貯蔵器からダイヤフラムポンプにのみ通過させるように適応された一方向弁を経由してガス供給導管と流体流通状態にある、請求項１６または１７に記載の装置。
【請求項１９】
上記ダイヤフラムポンプは直線駆動手段で動かされる、請求項１６、１７または１８に記載の装置。
【請求項２０】
上記直線駆動手段は電磁石である、請求項１９に記載の装置。
【請求項２１】
上記ダイヤフラムポンプのダイヤフラムは回転駆動手段によって駆動される回転−直進変換器によって動かされる、請求項１６、１７または１８に記載の装置。
【請求項２２】
上記回転駆動手段は電気DCモータ、電気ACモータ、ステッパーモータ、またはブラシレスモータである、請求項２１に記載の装置。
【請求項２３】
更に、送出される物質の体積を表示する所定の第六入力、および送出された物質の圧力が供給可呼吸ガスの圧力を超えている量を表示する所定の第七入力の入力を許容するように適応される入力手段を持つ第一制御システムを有し、
前記第一制御システムは、第二、第三、第五、第六および第七入力信号を受け、
直線または回転駆動手段の移動の量を表示する第一出力信号、および負または正ポンプ圧力を作り出すために必要な移動の方向を表示する第二出力信号を計算し、および発生する、請求項１９から２２のいずれか一つに記載の装置。
【請求項２４】
負ポンプ圧力が物質貯蔵器からポンプへ物質を引き出し、正ポンプ圧力が物質をポンプから導管へ、さらに人間または動物へ放出する、請求項２３に記載の装置。
【請求項２５】
上記第一および第二出力信号は、それらをそれぞれ駆動手段移動および方向を表示し、直線または回転駆動手段と両立する第三および第四出力信号に変換するように適応された第二制御システムに送られる、請求項２４に記載の装置。
【請求項２６】
上記入力および出力信号はアナログ及び／又はディジタルである、請求項２５に記載の装置。
【請求項２７】
供給された可呼吸ガスの圧力を測定するステップと、
人間または動物による吸気を検出するステップと、
供給された可呼吸ガスの圧力よりも高い圧力での吸気の間、人間または動物に対する物質送出するステップとを有する、可呼吸ガスが供給される人間または動物への物質送出方法。
【請求項２８】
上記物質は医薬物質である請求項２７に記載の方法。
【請求項２９】
上記物質はガス状、霧状、通気懸濁状、噴射状、スプレー状、ガス混合状、または類似の形式である請求項２８に記載の方法。
【請求項３０】
上記物質は人間または動物の呼吸システムに送出される請求項２７、２８または２９に記載の方法。
【請求項３１】
上記物質は人間または動物の鼻気道に送出される請求項３０に記載の方法。
【請求項３２】
上記供給された可呼吸ガスは大気圧以上に加圧されている、請求項２７から３１のいずれか一つに記載の方法。
【請求項３３】
空気流センサーによって上記可呼吸ガスの体積的流量を測定し、および可呼吸ガスの流量を表示する第一入力信号を発生するステップを有する、請求項２７から３１のいずれか一つに記載の方法。
【請求項３４】
上記第一信号を、同様に可呼吸ガスの流量を表示する第二信号に増幅するステップを有する、請求項３３に記載の方法。
【請求項３５】
上記第一信号をそれぞれ吸気または呼気を表示するために可呼吸ガスの加速度または減速度を表示する第三信号に微分するステップを有する、請求項３３または３４に記載の方法。
【請求項３６】
人間または動物に送出される物質の体積を測定するステップを有する、請求項２７から３５のいずれか一つに記載の方法。
【請求項３７】
上記可呼吸ガス圧力は、可呼吸ガスの圧力を表示する第四入力信号を発生するように適応されている圧力トランスデューサにより測定される、請求項３６に記載の方法。
【請求項３８】
上記第四入力信号を、同様に可呼吸ガス圧力を表示する第五入力信号に増幅するステップを有する、請求項３７に記載の方法。
【請求項３９】
上記物質は、容積式ポンプを用いて人間または動物に送出されるステップを有する、請求項２７から３８のいずれか一つに記載の方法。
【請求項４０】
上記容積式ポンプはダイヤフラムポンプである、請求項３９のいずれか一つに記載の方法。
【請求項４１】
上記ダイヤフラムポンプは物質を貯蔵器からダイヤフラムポンプにのみ通過させるように適応された一方向弁を経由して物質貯蔵器と流体流通状態にある、請求項４０のいずれか一つに記載の方法。
【請求項４２】
上記ダイヤフラムポンプは物質を貯蔵器からダイヤフラムポンプにのみ通過させるように適応された一方向弁を経由してガス供給導管と流体流通状態にある、請求項４０または４１のいずれか一つに記載の方法。
【請求項４３】
上記ダイヤフラムポンプは直線駆動手段で動かされる、請求項４０、４１または４２のいずれか一つに記載の方法。
【請求項４４】
上記直線駆動手段は電磁石である、請求項４３のいずれか一つに記載の方法。
【請求項４５】
上記ダイヤフラムポンプは回転駆動手段によって駆動される回転−直線変換器によって動かされる、請求項４０、４１または４２のいずれか一つに記載の方法。
【請求項４６】
上記回転駆動手段は電気DCモータ、電気ACモータ、ステッパーモータ、またはブラシレスモータである、請求項４５のいずれか一つに記載の方法。
【請求項４７】
更に、第二、第三、第四および第五入力信号、および送出される物質の容量を表示する第六入力信号、および送出された物質の圧力が供給可呼吸ガスの圧力を超えている量を表示する所定の第七入力を第一制御手段に入力するステップを有し、第一制御システムは、駆動手段の移動の量を表示する第一出力信号、および負または正ポンプ圧力を作り出すために必要な移動の方向を表示する第二出力信号を発生するように適応されている、請求項４３から４６のいずれか一つに記載の方法。
【請求項４８】
負ポンプ圧力が物質貯蔵器からポンプへ物質を引き出し、正ポンプ圧力が物質をポンプから導管へ、さらに人間または動物へ放出する、請求項４７に記載の方法。
【請求項４９】
第一および第二出力信号を第二制御システムに入力し、並びに第二制御システムはそれらをそれぞれ駆動手段移動長さおよび方向を表示する第三および第四出力信号に変換するステップを有し、第三および第四出力信号は直線または回転駆動手段と両立性がある、請求項４８に記載の方法。
【発明の詳細な説明】
【技術分野】
【０００１】
本発明は、人間または動物に対する可呼吸ガスを供給するシステムと共に使用される物質送出装置に関する。
【背景技術】
【０００２】
連続正気道圧力（CPAP）流れ発生器システムによる閉塞性睡眠無呼吸（OSA）の治療は、マスクおよび導管を通して患者の気道に大気圧以上に加圧された可呼吸ガス（一般的に空気）を連続的に送出することを伴う。４cm Ｈ２Ｏ乃至２２cm Ｈ２ＯのCPAP圧力が、一般的に患者の要求によってOSAの治療用に使用される。補助呼吸用の治療圧力は３２cm Ｈ２Ｏまで、および再び患者の要求によりそれ以上の範囲に亘る。
OSAの治療、または補助呼吸または類似のものの適用のいずれかに対して、患者に送出されるガス圧力は、一定水準、二段式（患者の吸気に同期して）または自動設定水準を取り得る。本明細書全体を通して、CPAPに対する言及は、加圧ガス供給のこれらの形式の何れか一つ、またはその組み合わせへの言及を組み入れることを意図している。
【特許文献１】国際公開第９４／１６７５９号
【特許文献２】特表平５−５０６５９８号公報
【特許文献３】特表昭６３−５００１５１号公報
【特許文献４】特開昭６１−１７９１５８号公報
【特許文献５】米国特許第５５７０６８２号明細書
【特許文献６】特開昭６１−１７９１５７号公報
【特許文献７】独国特許出願公開第３５３７５０７号明細書
【特許文献８】独国特許出願公開第３０１５２７９号明細書
【発明の開示】
【発明が解決しようとする課題】
【０００３】
CPAP治療を受けている患者に、ガス供給マスクを取り除いて治療を中断することなしに、医薬のような物質を施すことは困難である。上記の欠点を改良することが本発明の目的である。
【課題を解決するための手段】
【０００４】
第一態様では、本発明は、人間または動物に対する可呼吸ガスを供給するシステムと共に使用される物質送出装置を提供し、その装置は下記を有する。すなわち、
供給された可呼吸ガスの圧力を測定する手段、
人間または動物による吸気を検出する手段、
供給された可呼吸ガスの圧力よりも高い圧力での吸気の間、人間または動物に対する物質送出の手段、
第二態様では、本発明は、可呼吸ガスを供給された人間または動物に対して
物質を送出する方法を提供し、この方法は下記を有する。すなわち、
供給された可呼吸ガスの圧力を測定し、
人間または動物による吸気を検出し、
供給された可呼吸ガスの圧力よりも高い圧力での吸気の間、人間または動物に対する物質送出する。
【０００５】
物質は医薬物質であることが好ましく、望ましくはガス状、霧状、通気懸濁状、噴射状、スプレー状、ガス混合状、または類似の形式である。
【０００６】
物質は人間、または動物の呼吸システム、特に鼻気道に送出されることが好ましい。
【０００７】
供給された可呼吸ガスは、大気圧以上に加圧されていることが好ましい。
【０００８】
可呼吸ガスを供給するシステムは、可撓導管を通して人間、または動物に装着されたマスクと流体流通する加圧ガス流発生器を有することが好ましく、並びに吸気検出手段は、導管を通して通過する可呼吸ガスの容量的流量を測定し、および可呼吸ガス流量を表示する第一入力信号を発生するように適応された空気流センサーを有する。用語マスクは、ここでは顔マスク、鼻マスク、口マスク、これらのマスクのいずれかの付近のアペンディチャーズ（apenditures）および類似のものを含むと理解される。
【０００９】
第一信号は第一増幅器によって、同様にガス流量を表示する第二入力信号に増幅されることが好ましい。第一信号の導関数がまた、ガスの加速度、または減速度を決定するために微分フィルタによって発生され、それはそれぞれ吸気または呼気を表示し、第三入力信号によって表される。
【００１０】
空気流センサーが、大気へのマスクの通気孔の下流に配置された時、吸気は、通気孔を通るガス流の方向の反転を感知することによって検出できる。吸気はまた、ガス流の中断を感知することによっても検出できる。
【００１１】
装置はまた、人間または動物に送出される物質の体積を測定する手段を含むことが好ましい。
【００１２】
圧力測定手段は、導管中のガス圧を表示する第四入力信号を発生するように適応された、導管に接続された圧力トランスデューサであることが好ましい。第四入力信号は第二増幅器によって、またガス圧を表示する第五入力信号に増幅されることが好ましい。
【００１３】
物質送出手段は、容積式ポンプであることが好ましく、ダイヤフラムポンプが最も好ましい。ダイヤフラムポンプは、物質を貯蔵器からポンプにのみ通過させるように適応された一方向弁を経由して物質貯蔵器と流体流通状態にあることが好ましい。ポンプはまた、物質を貯蔵器からポンプにのみ通過させるように適応された一方向弁を経由してガス供給導管と流体流通状態にあることが好ましい。
【００１４】
ポンプのダイヤフラムは、一つの形式として電磁石形式を取る直線駆動手段によって動かされることが望ましい。他の形式では、電気DCモータ、電気ACモータ、ステッパーモータ、またはブラシレスモータのような回転駆動手段が、回転駆動手段とダイヤフラムポンプ間に挿入された回転―直進変換器と共に使用される。
【００１５】
装置は、第二、第三、および第四の入力信号を受けるように適応された第一制御システムを有することが好ましい。この制御システムはまた、送出される物質の体積を表示する所定の第六入力、および送出された物質の圧力が供給可呼吸ガスの圧力を超えている量を表示する所定の第七入力の入力を許容するように適応されている入力手段を有することが好ましい。第一制御システムは、直線または回転駆動手段の移動の量を表示する第一出力信号、および負または正のポンプ圧力を作り出すために必要な移動の方向を表示する第二出力信号を計算し、および発生するために、第二、第三、第五、第六および第七入力信号を受けるように適応されていることが好ましい。
【００１６】
第一および第二出力信号は、それぞれ駆動手段の移動および方向を表示し、直線または回転駆動手段と両立する第三、および第四出力信号にそれらを変換する第二制御システムへ好適に送られる。
【００１７】
好ましくは、第一および第二出力信号は、それぞれ駆動手段の移動および方向を表示し、直線または回転駆動手段と両立する第三および第四出力信号にそれらを変換するように適応された第二制御システムに送られる。
【００１８】
入力および出力信号は、アナログ、ディジタルまたは類似のもので良い。
【００１９】
記述された実施例は、主に、例えば閉塞性睡眠無呼吸（OSA）の治療または類似の睡眠障害呼吸状態における連続正気道圧力（CPAP）ガス送出システムを使用する患者への医薬物質の送出に使用するために開発された。
【００２０】
本発明は、これらの応用を参照して以下に記述される。しかしながら、本発明は、この特定の使用分野に限定されない、と理解されよう。例えば、本発明はまた、補助通気、補助呼吸または機械的通気のような他の治療用の適当なマスクまたはガス送出システムと共に用いられる。
【発明を実施するための最良の形態】
【００２１】
最初に図１を参照し、本発明による物質送出装置１０の第一実施例が示されている。装置１０は、人間患者（図示せず）に矢印１４で表示される空気を供給する、一般的に１２で表示されるシステムと共に用いられる。システム１２は、導管２０を経由してマスクと流体流通する加圧ガス流発生器１６を有する。
【００２２】
装置１０は、空気１４の圧力を測定し、および患者の吸気を検出する手段を、空気流センサー２２の形式で有する。センサー２２は、マスク１８と加圧ガス流発生器１６間の導管２０中に挿入される。固定オリフィス形式の空気流センサー２２は、電子流れトランスデューサ２４に接続されている。各種オリフィス、ベンチュリー管、ピトー管または管束もまた、空気流を感知するために用いることができる。トランスデューサ２４は、導管２０を通して通過する空気１４の流量を表示し、順次それぞれ３０および３２の、第二および第三入力信号を発生する第一流れ信号処理増器および微分フィルタ２８に送られる第一電気入力信号２６を発生する。
【００２３】
第二入力信号３０は、第一入力信号２６を増幅したものである。第三入力信号３２は、第一信号２６の導関数であり、加速度および減速度はそれぞれ吸気および呼気を表示する。患者が吸気する時、それらは送出される空気に吸引を行い、こうして加速度が生じる。呼気の場合、送出される空気は反対方向の吐出空気流によって妨害され、こうして減速度を生じる。
【００２４】
空気圧トランスデューサ３４もまた導管２０に接続され、導管内の圧力を表示する第四電気入力信号３６を発生する。第四信号３６は、同様に導管２０内の圧力を表示する第五入力信号４０を発生する空気圧処理増幅器３８に送出される。
【００２５】
第二、第三および第五入力信号３０、３２および４０は第一制御システム４２に与えられる。第一制御システム４２は、また第六および第七所定入力信号４４、および４６を手動入力４８および５０からシステムオペレータによって操作されるポテンショメータの形式で受ける。可変抵抗器もまた手動入力として用いられる。第六入力信号４４は患者の各吸気サイクルの間、マスクに送出される物質の容量を表示する。第七入力信号４６は、物質の送出圧力が導管２０内の空気１４の測定圧力を超える量を表示する。
【００２６】
物質５２をマスク１８へ送出する手段は、導管５６により可撓ダイヤフラム６０を持つダイヤフラムポンプ５８に接続された物質貯蔵器５４を含む。一方向弁６２は、貯蔵器５４とポンプ５８間に挿入され、物質５２をポンプ５８へ流入のみさせる。ポンプ５８は、分岐導管６４、および物質５２をポンプ５８から導管２０に通過させる一方向弁６６により導管２０と流体流通状態にある。
【００２７】
ダイヤフラム６０のストロークは、ダイヤフラム６０の中心に接続され、および電気捲線７２によって囲まれたマグネット７０の形式の電磁石駆動手段６８によって制御される。駆動手段６８は、第二制御システム７４によって制御される。
【００２８】
第二、第三、第五、第六および第七入力信号の受け取りに対応して、第一制御システム４２は、それぞれ電磁石移動の大きさ、および方向を表示する第一、および第二出力信号７６、および７８を発生する。矢印８０の方向への移動は、物質５２をポンプ５８に引き込む。矢印８２の方向への移動は、物質５２を分岐導管６４に、およびその後導管２０に押し上げる。出力信号７６および７８は、第二制御システム７４により受けられ、第二制御システム７４は駆動手段６８と両立性の、それぞれ第三および第四出力信号８４、および８６を出力する。第三出力信号８４は、電磁石６８の移動の量を表示し、および第四出力信号８６は移動方向を表示する。
【００２９】
使用に当って、システムがスイッチ入りにされた時、患者が呼吸できるように可呼吸ガス１４は、ガス流発生器１６により導管２０を通してマスク１８に供給される。
【００３０】
患者が吸気する時、制御システム４２のアナログ−ディジタル変換器（図示せず）は、数呼吸に亘って第一入力信号３０の空気流情報をサンプリングし、それをメモリー（図示せず）に記憶する。記憶値はそれぞれの呼吸サイクルの吸気部分の時間について積分される。積分値は、各呼吸の１回換気量であり、メモリーに記憶される。１回換気量の記憶値は１回換気量の平均値を出すために呼吸の数回に亘って平均化される。
【００３１】
１回換気量の平均値、および手動入力４８の設定から、各呼吸に対して送出された物質５２（すなわち薬剤またはガス）の体積が計算される。制御システム４２はまた、ダイヤフラムポンプ５８の捲線７２に適用される電流の大きさを計算する。
【００３２】
第三入力信号３２が呼気を表示した時、制御システム４２および７４は、第三および第四出力信号８４、および８６を計算し、それらを捲線７２に与える。捲線７２に適用される電流の方向は、マグネット７０およびダイヤフラム６０を、仮線８７で示される位置に向かって矢印の方向へ移動させる。ダイヤフラム６０のこの動きは、物質５２を一方向弁６２を通過しポンプ５８の中に引き込む。捲線７２に適用される電流の大きさはダイヤフラム６０の移動に、従ってまた次の吸気サイクルの間患者に送出される、ポンプ５８に引き込まれるガスの量に比例する。患者の呼気サイクルの終期に捲線７２に適用される電流は一定に留まり、マグネット７０およびダイヤフラム６０は線８７で表示されるように留まる。
【００３３】
第三入力信号３２が吸気を表示する時、制御システム４２および７４は捲線７２に流れる電流を逆転させ、それによってマグネット７０およびダイヤフラム６０を仮線８９で示される位置に向かって矢印８２で表示される方向へ移動させる。この動きは物質５２をポンプ５８から一方向弁６６および分岐導管６４を通してマスク１８の中に押し込む。
【００３４】
導管２０中のガス１４の空気圧力は、分岐導管６４を通して押上げられた物質の圧力に超される。物質５２の供給圧力は制御システム４２によって計算され、導管２０内の圧力トランスデューサ３４によって測定された圧力と手動入力４８によって設定された圧力増分の和である。物質５２は、次いで導管６４とマスク１８を経由して患者に送出される。
【００３５】
本発明の第二実施例が図２に示され、そこでは同様の数字は同様の構成を表示するために用いられる。
【００３６】
第二実施例の第一制御システム４２は、マイクロコントローラ９２と直線位置トランスデューサ９４を組み込んでおり、直線位置トランスデューサはマグネット７０およびダイヤフラム６０の位置を表示するフィードバック信号９６を与えるためにマグネット７０に接続されている。
【００３７】
二つの手動入力４８および５０はディジタル制御盤９８で置き換えられ、ディジタル制御盤９８は以下を備える、すなわち、三桁の数字ディジタルディスプレイ１００と、モード１０２、“＋”１０４、“−”１０６の三個の押し釦と、ボリューム１０８、送出圧力１１０、および運転１１２の選択されたモードを表示する三個のLEDである。
【００３８】
このシステムの動作は、以下に表示するものを除いて一般的に上記と同様である。
【００３９】
モード押し釦１０２を継続的に押し込むと三つの状態、体積、送出圧力および運転を循環する。
【００４０】
体積、または送出圧力が選択された時、ディジタルディスプレイ１００はそのパラメータの電流設定を表示する。この値は、もし必要ならば、二個の押し釦“＋”１０４、または“−”１０６の何れかを操作することにより修正される。
【００４１】
運転が選択された時、マイクロコントローラ９２のメモリーに記憶されたパラメータは、マグネット７０の望ましい位置を計算する。これは、次いで直線位置トランスデューサ９４によって表示される実際のマグネット位置と比較される。如何なる差も誤差信号を発し、その誤差信号はマグネットの位置を望ましい位置に正すために用いられる。
【００４２】
本発明の第三実施例が図３から５に示され、ここでは同様の数字は同様の構成を表示するために用いられる。この実施例では、流れ処理増幅器および微分フィルタ２８が、センサー２２を通過して流れるガスの流量（すなわち加速度または減速度）の変化を感知することにより、再び吸気の立ち上がりを検出する。
【００４３】
この実施例の増幅器フィルタ２８からの出力信号１２０は、吸気の立ち上がりが検出された時、作動状態となり、呼吸サイクルの吸気部分の間作動状態に留まる。増幅器フィルタ２８からの出力信号１２０は、呼吸サイクルの呼気部分に対しては非作動状態である。
【００４４】
出力信号１２０は、ドライバーステージ１２２、およびインバータステージ１２４に供給される。
【００４５】
出力信号１２０が作動状態にある時、吸気の間、ドライバーステージ１２２は作動し、接続線１２８を通して電磁捲線１２６に電力を与える。出力信号１２０が非作動状態にある時、呼気の間、インバータステージ１２４はドライバーステージ１３２に駆動信号１３０を供給する。ドライバーステージ１３２は作動され、接続線１３６を通して電磁捲線１３４に電力を供給する。
【００４６】
磁気コア１３８は電磁捲線１２６内に置かれる。同様に磁気コア１４０が電磁捲線１３４内に置かれる。
【００４７】
磁気コア１３８および磁気コア１４０は接続ロッド１４２で接続され、接続ロッド１４２はまた滑動スプール弁１４４に接続されている。
【００４８】
捲線１２６が接続線１２８を通して励磁されると磁気コア１３８は矢印１５０の方向に移動し、それと共にスプール弁１４４およびコア１４０を引っ張る。
【００４９】
捲線１３４が接続線１３６を通して励磁されると磁気コア１４０は矢印１５２の方向に移動し、それと共にスプール弁１４４およびコア１３８を引っ張る。
【００５０】
スプール弁１４４の本体１５４は、導管２０に接続された分岐導管１５６を通してガス流発生器１６に接続されている。
【００５１】
ダイヤフラムモータ１５７は、空洞１６４および１６６を規定するダイヤフラム１６２によって分離されたハウジング半体１５８および１６０より成る。ダイヤフラムポンプ１６８は、空洞１７６および１７８を規定するダイヤフラム１７４によって分離されたハウジング半体１７０および１７２より成る。空洞１６４は、導管１８２でスプール弁本体１５４に接続されている。空洞１６６は、導管１８４でスプール弁本体１５４に接続されている。空洞１７６は大気に開放している。空洞１７８は導管５６および一方向弁６２により送出される物質５２のソース５４に接続されている。空洞１７８はまた、導管６４および一方向弁６６によりマスク１８に接続されている。
【００５２】
モータダイヤフラム１６２およびポンプダイヤフラム１７４は、接続ロッド１８６によって接続されている。接続ロッド１８６は空洞１６６および１７６間の空気シールベアリング（図示せず）を通過する。
【００５３】
調整ネジ１８８がハウジング半体１５８の上部に置かれている。
【００５４】
図４を参照して、呼吸サイクルの吸気間の本装置の動作を記述する。
【００５５】
患者が吸気を開始すると、流れ処理増幅器２８からの第二出力信号１２０が作動状態に設定され、ドライバーステージ１２２を作動する。インバータステージ１２４は、非作動であり、磁気コア１４０は動きが自由である。ドライバーステージ１２２は、接続線１２８を通して電磁捲線１２６に電力を供給する。磁気コア１３８は矢印１５０の方向に力を受け、それと共にスプール弁１４４も力を受ける。空気１４は分岐導管１５６からスプール弁本体１５４に流れ、スプール弁１４４により導管１８２を通して空洞１６４に送出される。空洞１６４に流入した空気の圧力はモータダイヤフラム１６２を矢印１９０の方向に押し、それと共にポンプダイヤフラム１７４を押す。空洞１７８はすでにマスク１８に送出された物質５２で充填されている。
【００５６】
ポンプダイヤフラム１７４の空洞１７８への移動は、物質圧力を増加し、一方向弁６２を閉じ、一方向弁６６を開き、および物質５２を導管６４に押し込む。導管６４は、導管２０およびマスク１８と流体流通し、および物質５２はそれによりマスク１８に、そして患者に送出される。
【００５７】
図５を参照して、呼吸サイクルの呼気の間の本装置の動作が記述される。
【００５８】
患者が呼気を開始すると、流れ処理増幅器２８からの第二出力信号１２０が非作動状態に設定される。ドライバーステージ１２２は作動されず、電力は接続線１２８を通して電磁捲線１２６に供給されない。従って磁気コア１３８は動きが自由である。流れ処理増幅器２８からの出力信号１２０は目下非作動状態にあるので、インバータステージ１２４はその出力信号１３０を作動状態に切り替え、ドライバーステージ１３２を作動する。ドライバーステージ１３２は、接続線１３６を通して電磁捲線１３４に電力を供給し、磁気コア１４０は矢印１５２の方向に力を受け、それと共にスプール弁１４４も力を受ける。空気は分岐導管１５６からスプール弁本体１５４に流れ、スプール弁１４４により導管１８４を通して空洞１６６に送出される。空洞１６６の空気の圧力はモータダイヤフラム１６２を矢印１９２の方向に押し込み、それと共にポンプダイヤフラム１７４を押し込む。ポンプダイヤフラム１７４の空洞１７６への移動は空洞１７８に真空を作り出し、一方向弁６６を閉じ、一方向弁６２を開き、および物質５２を導管５６を通して空洞１７８に引き込む。
【００５９】
モータダイヤフラム１６２、およびポンプダイヤフラム１７４の動きは、調整ネジ１８８によって制限される。調整ネジ１８８の設定は、矢印１９２方向へのモータダイヤフラム１６２、およびポンプダイヤフラム１７４の最大移動を定め、それ故、次の吸気の間の患者への送出用に、空洞１７８に引き込むことのできる物質５２の体積を制御する。
【００６０】
ポンプダイヤフラム１７４は、モータダイヤフラム１６２よりも面積的に小さい。従って、モータダイヤフラム１６２に供給された供与圧力は、ポンプダイヤフラム１７４からのより高い圧力を生じる。それ故、ポンプダイヤフラム１７４によって導管６４および患者マスク１８に送出される圧力は、常に導管２０のガス圧力を超える。導管２０と導管６４の圧力間の比は、ダイヤフラム１７４および１６２の面積間の比に比例する。
【００６１】
他の実施例（図示せず）では、モータダイヤフラム１６２は、物質５２のより正確な送出を提供するために制御システムによって制御されるステッパーモータのような電気的モータに置き換えられる。
【００６２】
本発明の第四実施例が図６に示され、ここでは同様の数字は同様の特徴を表示するために用いられる。この実施例は、患者の吸気の間、マスクに対する比較的高い治療圧力で、および呼気の間、比較的低い治療圧力で可呼吸ガスを送出する二段式CPAP流れ発生器（図示せず）と関連して使用するものである。本出願人はこのような二段式システムを商標VPAPの下で市場に出している。
【００６３】
この実施例は、空洞２０４および２０６を規定する滑動ピストン２０２を持つモータシリンダ２００を有する。空洞２１２および２１４を規定する滑動ピストン２１０を持つポンプシリンダ２０８もまた、設けられている。ピストン２０２および２１０は、空気シールベアリング２１８を通過する接続ロッド２１６で接続されている。
【００６４】
空洞２０４は、分岐導管１５６により導管２０に接続されている。空洞２０６および２１２は大気に開放している。空洞２１４は一方向弁６２を経由して導管５６により物質５２のソース５４に接続されている。空洞２１４はまた、導管６４および一方向弁６６によりマスク１８に接続されている。
【００６５】
ピストンはスプリング２２２により矢印２２０の方向に偏倚されている。図６に示された装置の動作を次に記述する。呼気の間、比較的低圧のガスが導管２０を通過し、ピストン２０２に極めて僅かな量の力を発生する。スプリング２２２は、この力に打ち勝ち、ピストン２０２および２１０を矢印２２０の方向に駆動し、それによって空洞２１４に真空を創り出す。真空は物質５２を一方向弁６２を通過して空洞２１４に引き込む。
【００６６】
呼気の間、比較的高圧ガスが導管２０を通過し、スプリング２２２に打ち勝ちおよびピストン２０２および２１０を矢印２２４の方向に駆動するに十分な力を、ピストン２０２に発生する。このことは、空洞２１４内の物質を一方向弁６６を通過させ、および導管６４を経由してマスク１８に移動させる。
【００６７】
ピストン２０２の表面面積は、ピストン２１０のそれより広く、ピストン２１０によって発生される圧力はそれ故ピストン２０２に適用されるそれを超える。従って、物質送出圧力は、呼吸サイクルの吸気相の間、流れ発生器にょって作られる圧力を超える。ピストン２０２およびピストン２１０の表面面積間の比は、可呼吸ガス圧力および物質送出圧力間の比に比例する。
【００６８】
本発明の第五実施例が図７ａ、７ｂ、および７ｃに示されている。第五実施例は、本質的に第四実施例の修正であり、それ故それは一定圧力流れ発生器と共に働く。
【００６９】
第五実施例は、導管２０とモータシリンダ２００間に挿入された制御弁２３０を有する。弁２３０は、導管２０に接続された入り口２３２、空洞２０４に接続された第一出口２３４、および大気に開放している第二出口２３６を有する。
【００７０】
弁２３０は、先の実施例に関して議論したように、吸気または呼気を表示する信号２４０を受ける電子弁制御器２３８で制御される。
【００７１】
信号２４０が吸気を表示した時、制御器２３８は弁２３０を図７ｂに表示された位置に移動させる。この位置で先に記述したように、空気１４は空洞２０４に送出され、その結果ピストンは矢印２２４の方向に移動され、および物質５２はマスク１８に押し上げられる。
【００７２】
信号２４０が呼気を表示した時、制御器２３８は弁２３０を図７ｃに示された位置に移動させる。この位置で、空洞２０４の空気は、スプリング２２２の影響を受けてピストンが矢印２２０の方向に動きながら、大気に排出される。先に記述したように、この動きもまた物質５２を空洞２１４に引き込ませる。
【００７３】
本発明は、少なくとも好ましい形式では、吸気の間のみ人間または動物に測定された物質投与量を提供し、それによって薬剤の浪費を大幅に低減する。
【００７４】
また好ましい装置により、物質はCPAP、または同様な治療、または睡眠を中断することなく患者に送出され、それによって患者の安静と便宜を増加する。
【００７５】
好ましい装置はまた、患者が医薬を取ることを記憶する必要性を排除する。
【００７６】
本発明は、特定の例を参照して記述された。しかしながら、本発明は多くの他の形式で具体化され得る、ということは当該技術に習熟した人々には理解されるであろう。
【図面の簡単な説明】
【００７７】
【図１】本発明の第一実施例による物質送出装置の略図である。
【図２】本発明の第二実施例による物質送出装置の略図である。
【図３】本発明の第三実施例による物質送出装置の略図である。
【図４】吸気中の図３の装置の略図である。
【図５】呼気中の図３に示された装置の略図である。
【図６】本発明の第四実施例による物質送出装置の部分的略図である。
【図７ａ】本発明の第五実施例による物質送出装置の部分的略図である。
【図７ｂ】本発明の第五実施例による物質送出装置の部分的略図である。
【図７ｃ】本発明の第五実施例による物質送出装置の部分的略図である。
【符号の説明】
【００７８】
１０  装置
１２  システム
１４  空気
１６  加圧ガス流発生器
１８  マスク
２０  導管
２２  空気流センサー
２４  トランスデューサ
２６  第一入力信号
２８  微分フィルタ
３０  第二入力信号
３２  第三入力信号
３６  第四信号
３８  空気圧処理増幅器
４０  第五入力信号
４２  第一制御システム
４４  第七所定入力信号
４６  第七所定入力信号
４８  手動入力
５０  手動入力
５２  物質
５６  導管
５８  ポンプ
６０  可撓ダイヤフラム
６４  分岐導管
６６  一方向弁
６８  電磁石駆動手段
７０  マグネット
７２  電気捲線
７４  第二制御システム
７６  第二出力信号
７８  第二出力信号
８４  第三出力信号
８６  第四出力信号
９２  マイクロコントローラ
９４  直線位置トランスデューサ
９６  フィードバック信号
９８  ディジタル制御盤
１００  数字ディジタルディスプレイ
１０２  モード
１０８  ボリューム
１１０  送出圧力
１２０  出力信号
１２２  ドライバーステージ
１２４  インバータステージ
１２６  電磁捲線
１２８  接続線
１３０  駆動信号
１３２  ドラバーステージ
１３４  電磁捲線
１３６  接続線
１３８  磁気コア
１４０  磁気コア
１４２接続ロッド
１４４  スプール弁
１５４  本体
１５６  分岐導管
１６２  ダイヤフラム
１６４  空洞
１６６  空洞
１６８  ダイヤフラムポンプ
１７４  ポンプダイヤフラム
１７６  空洞
１７８  空洞
１８２  導管
１８６  接続ロッド
１８８  調整ネジ
２００  モータシリンダ
２０２  ピストン
２０４  空洞
２０６  空洞
２０８  ポンプシリンダ
２１０  ピストン
２１２  空洞
２１４  空洞
２１６  接続ロッド
２３０  弁
２３２  入り口
２３４  第一出口
２３６  第二出口
２３８  電子弁制御器
２４０  信号
【図１】
2007000652.tif 000003
【図２】
2007000652.tif 000004
【図３】
2007000652.tif 000005
【図４】
2007000652.tif 000006
【図５】
2007000652.tif 000007
【図６】
2007000652.tif 000008
【図７ａ】
2007000652.tif 000009
【図７ｂ】
2007000652.tif 000010
【図７ｃ】
2007000652.tif 000011
【手続補正書】
【提出日】平成18年10月17日(2006.10.17)
【手続補正１】
【補正対象書類名】特許請求の範囲
【補正対象項目名】全文
【補正方法】変更
【補正の内容】
【特許請求の範囲】
【請求項１】
人間又は動物に可呼吸ガスを供給するシステムであって可撓導管を通して人間又は動物に装着されたマスクと流体流通する加圧ガス流発生器を有するシステムと共に使用する物質送出装置にして、
導管を通して通過する可呼吸ガスの容量的流量を測定して、可呼吸ガス流量を表示する第１入力信号を発生するように構成された空気流センサーと、
第１入力信号を、可呼吸ガス流量を表示する第２入力信号に増幅する第１増幅器と、
第１入力信号を、可呼吸ガスの加速度や減速度を表示し、それによって吸気や呼気を夫々表示する第３入力信号に導く微分フィルタと、
直線駆動手段と、
該直線駆動手段で動かされるダイヤフラムポンプであって、吸気時に人間又は動物に可呼吸ガスを供給する圧力よりも高い圧力で物質を供給するダイヤフラムポンプと、
導管に接続された圧力トランスデューサであって、供給された可呼吸ガスの圧力を表示する第４入力信号を発生するように構成された圧力トランスデューサと、
該第４入力信号を、可呼吸ガス圧力を表示する第５入力信号に増幅する第２増幅器と、
供給される物質の体積を表示する第６入力信号の入力と、供給される物質の圧力が供給される可呼吸ガスの圧力を超えている量を表示する第７入力信号の入力と、を許容するように構成された入力手段を有する第１制御システムと、を備え、
該第１制御システムは、第２、第３、第５、第６および第７入力信号を受け、直線駆動手段の移動量を表示する第１出力信号と、負ポンプ圧力又は正ポンプ圧力を作り出すために必要な移動の方向を表示する第２出力信号と、を計算して発生するように構成された、物質送出装置。
【請求項２】
上記物質は、医薬物質である、請求項１記載の物質送出装置。
【請求項３】
上記物質は、ガス状、霧状、通気懸濁状、噴射状、スプレー状、ガス混合状の形態である、請求項１記載の物質送出装置。
【請求項４】
上記物質は、人間又は動物の呼吸システムに供給される、請求項１記載の物質送出装置。
【請求項５】
上記物質は、人間又は動物の鼻気道に供給される、請求項４記載の物質送出装置。
【請求項６】
更に、人間又は動物に供給される物質の体積を測定する手段を有する、請求項１記載の物質送出装置。
【請求項７】
上記ダイヤフラムポンプは、上記物質を物質貯蔵器からダイヤフラムポンプにのみ通過させるように構成された一方向弁を介して、物質貯蔵器と流体流通している、請求項１記載の物質送出装置。
【請求項８】
上記ダイヤフラムポンプは、上記物質を該ダイヤフラムポンプから上記導管にのみ通過させるように構成された一方向弁を介して、上記導管と流体流通している、請求項１記載の物質送出装置。
【請求項９】
上記直線駆動手段は、電磁石である、請求項１記載の物質送出装置。
【請求項１０】
負ポンプ圧力は、上記物質を物質貯蔵器から上記ダイヤフラムポンプへ引き出し、正ポンプ圧力は、上記物質を上記ダイヤフラムポンプから上記導管へ、そして、さらに、人間又は動物へ放出する、請求項１記載の物質送出装置。
【請求項１１】
上記第１出力信号と上記第２出力信号とは、それらを夫々駆動手段の移動及び方向を表示する第３及び第４出力信号であって上記直線駆動手段と両立する第３及び第４出力信号に変換するように構成された第２制御システムに送られるようにした、請求項１０記載の物質送出装置。
【請求項１２】
上記入力信号及び上記出力信号は、アナログやデジタルである、請求項１１記載の物質送出装置。
【外国語明細書】
2007000652.tif 000012
2007000652.tif 000013
2007000652.tif 000014
2007000652.tif 000015
2007000652.tif 000016
2007000652.tif 000017
2007000652.tif 000018
2007000652.tif 000019
2007000652.tif 000020
2007000652.tif 000021
2007000652.tif 000022
2007000652.tif 000023
2007000652.tif 000024
2007000652.tif 000025
2007000652.tif 000026
2007000652.tif 000027
2007000652.tif 000028
2007000652.tif 000029
2007000652.tif 000030
2007000652.tif 000031
2007000652.tif 000032
2007000652.tif 000033
2007000652.tif 000034
2007000652.tif 000035
2007000652.tif 000036
2007000652.tif 000037
2007000652.tif 000038
2007000652.tif 000039
2007000652.tif 000040
2007000652.tif 000041